(57)【要約】【課題】ズレを防止でき、陶磁器製便器の肉厚のばらつきを吸収できる便器用防振シートを提供する。【解決手段】床面と便器２ａとの間に設けられる防振シート５であって、防振シート５は、弾性材料の帯体５１と、帯体５１の内縁から一体に上方へ突出した内肉盛部５２と、帯体５１の外縁から一体に上方へ突出した外肉盛部５３からなり、帯体５１の床面に接する底面がなだらかな凹状の湾曲凹面部５１ｂとなっている。【選択図】図４
2010095916.tif 000002
【特許請求の範囲】
【請求項１】
床面と便器との間に設けられる防振シートであって、
該防振シートは、弾性材料の帯体と、該帯体の内縁から一体に上方へ突出した内肉盛部と、該帯体の外縁から一体に上方へ突出した外肉盛部からなり、
該帯体の前記床面に接する底面がなだらかな凹状に形成されている
ことを特徴とする便器用防振シート。
【請求項２】
前記外肉盛部の上端は、便器側に向かって鋭角に形成されていることを特徴とする請求項１に記載の便器用防振シート。
【発明の詳細な説明】
【技術分野】
【０００１】
本発明は、床面と便器との間に設けられる便器用防振シートに関するものである。
【背景技術】
【０００２】
従来、特許文献１に開示されているように、便器用防振部材を用いて、床面と便器との間にこの便器用防振部材を設けることにより、小用時に発生する騒音や使用後の洗浄音等を吸収し、これらの音が床を伝播して階下に伝わることを防止することができるものとなる。
【特許文献１】特開２００３−１４７８４３号公報
【発明の開示】
【発明が解決しようとする課題】
【０００３】
上記特許文献１に開示されている便器用防振部材では、肉厚のばらつきが大きい陶磁器製便器に対し、肉厚のばらつきに十分に対応することができないという問題点があった。
【課題を解決するための手段】
【０００４】
本発明は、ずれることがなく、陶器製便器の肉厚のばらつきを良好に吸収することのできる便器用防振シートを提供することを目的の１つとし、この目的の少なくとも一部を達成するために以下の手段を採った。
本発明は、床面と便器との間に設けられる防振シートであって、該防振シートは、弾性材料の帯体と、該帯体の内縁から一体に上方へ突出した内肉盛部と、該帯体の外縁から一体に上方へ突出した外肉盛部からなり、該帯体の前記床面に接する底面がなだらかな凹状に形成されていることを要旨とする。
【発明の効果】
【０００５】
便器に防振シートを取り付け、その状態で床面に設置すると、床面に防振シートの帯体の底面側が当接して、底面側の凹状の部分が押し潰されることにより、内肉盛部と外肉盛部が便器側に向かって寄せられてゆき、これにより、便器を内肉盛部と外肉盛部間に強く密着状に挟み込むことができ、防振シートのズレが防止できるとともに、陶器製便器の肉厚のばらつきにも十分に対応して、肉厚の大きな便器でも、嵌め込んで床面に設置すれば、強い挟み込み力が発揮されて防振シートが密着されるものである。
【０００６】
また、上記便器用防振シートは、前記外肉盛部の上端は、便器側に向かって鋭角に形成されている構成とすることもできる。
こうすれば、外肉盛部が便器に密着された状態では、上端が鋭角であるため外肉盛部の上端を便器形状に沿わせることができ、便器と外肉盛部の上端間に段差が生じなくなり、設置状態の意匠性が向上するものとなる。
【発明を実施するための最良の形態】
【０００７】
次に、本発明を実施するための最良の形態を実施例を用いて説明する。
図１は、便器の設置状態を示すものであり、便器１は、下端に脚部２ａを有する本体２の後部上面に洗浄タンク３が立設されて構成されており、本体２の脚部２ａと床面４間に防振シート５が介在されている。
【０００８】
この防振シート５は便器の脚部２ａ全周に嵌め込まれており、図２の拡大断面図で示すように、脚部２ａと床面４間に押し潰された状態に設置される。
図２において、床面４の所定位置には予め樹脂プラグ６を埋設しておき、ボルト７を本体２の取付孔２ｂに挿通し、樹脂プラグ６に対し上方からボルト７を打ち込み、ボルト７にゴムブッシュ８を介在させてナット９を締め付けて、便器の脚部２ａが床面４に押し付け固定されるものであり、後にボルト７およびナット９の上面には化粧キャップ１０を被せて化粧処理が行われるものである。
【０００９】
防振シート５はゴム製であり、図３に斜視図で示すような構造となっている。
防振シート５は、横方向に延びる帯状の帯体５１の外縁に、上方へ一体状に立ち上げて外肉盛部５３が形成されており、この外肉盛部５３の上端は、帯体５１上に嵌め込まれる便器側に向かって上端が尖った鋭角の上端鋭角部５３ａとなっている。なお、上端鋭角部５３ａは、なだらかな曲面形状に形成されている。
【００１０】
この外肉盛部５３と反対側の帯体５１の内縁側には、長手方向に沿って所定間隔で湾曲状に切り欠いた切欠凹部５４，５４，５４が連続状に形成されており、各切欠凹部５４，５４間の帯体５１の内縁には、一体状に立ち上げて内肉盛部５２，５２，５２が長手方向に沿って所定間隔で立設されている。
【００１１】
また、帯体５１の底面は、外肉盛部５３の下端側に略水平な底平面部５１ａが形成されており、この底平面部５１ａの内端側から内肉盛部５２側へ向かってなだらかな湾曲状に凹ませて湾曲凹面部５１ｂが形成されている。
【００１２】
図４には防振シート５の断面図を示すが、図４に示すように、帯体５１上に予め両面テープ１１或いは接着剤を設けておき、この両面テープ１１或いは接着剤を介して便器の脚部２ａの底面に防振シート５の帯体５１を仮固定しておく。
この図４の状態では、脚部２ａの内周側および外周側に、内肉盛部５２および外肉盛部５３が脚部２ａとの間に隙間を形成させてそれぞれ立設された状態となる。
【００１３】
この図４の状態で便器１を床面４の所定位置に置くと、図５に示すように、床面４に防振シート５の底面が当接し、便器１を図２のように床面４に固定することで、湾曲凹面部５１ｂが押し潰されることにより、防振シート５の底面は水平状態になって、その全面が床面４に当接され、この図５の状態では、内肉盛部５２および外肉盛部５３が脚部２ａ側に寄せられて脚部２ａに密着状態となり、脚部２ａを内肉盛部５２と外肉盛部５３で内外側から挟み込んだ状態に維持される。
また、防振シート５の底面の底平面部５１ａは、強固に床面４に押し付けられて密着状態となるため、尿の侵入などを確実に防止できるものとなる。
【００１４】
なお、外肉盛部５３の上端の上端鋭角部５３ａも強固に脚部２ａの外面に密着状態となるが、上端鋭角部５３ａは上端が尖っていて便器側に向かって鋭角に形成されているため、脚部２ａと外肉盛部５３の上端間には段差が生ずることがなく、そのため便器の設置状態の意匠性が向上するものとなる。
特に、内肉盛部５２の厚みに比べて、外肉盛部５３の厚みを薄く設定しておけば、設置時に、外肉盛部５３は、より強い力で脚部２ａの外面に密着されるため、脚部２ａの外面と外肉盛部５３間に隙間が生ずることはなくなる。
【００１５】
このように設置状態では、便器の脚部２ａを挟み込む力が防振シート５に働くため、防振シート５のズレが確実に防がれた状態となる。
なお、便器の脚部２ａは陶磁器製であるため、横幅方向の肉厚のばらつきがあるが、肉厚のばらつきが大きい脚部２ａでも、良好にそのばらつきを吸収させて、防振シート５の内肉盛部５２および外肉盛部５３を密着させることができるものであり、特に肉厚の大なる便器でも、脚部２ａに防振シート５を嵌め込んで床面４に設置すれば、内肉盛部５２および外肉盛部５３による挟み込み力が働いて、肉厚のばらつきが良好に吸収されるものである。
【００１６】
なお、図６は、変更例を示す防振シート５の断面構成図であり、図６に示す防振シート５では、帯体５１の底面に、内縁から外縁に亘り緩やかに湾曲する湾曲凹面部５１ｂを形成させたものである。
このような断面形状の防振シート５においても、便器の脚部２ａに防振シート５を嵌め込んで床面４に設置すれば、湾曲凹面部５１ｂが押し潰されることにより、内肉盛部５２および外肉盛部５３が内側方向への力を受けて脚部２ａを挟み込むように密着されるものであり、防振シート５のズレを確実に防止できるものである。
【００１７】
さらに図７は、更に異なる変更例を示すものであり、図７の防振シート５では、帯体５１の底側の外肉盛部５３の下端に、下方へ断面楔状に突出して底凸部５１ｃを一体形成したものであり、この底凸部５１ｃよりも凹ませて、帯体５１の底側に略水平状に凹面部５１ｄを形成させたものである。
この図７の防振シート５においても、便器の脚部２ａに嵌め込んで床面４に設置する時に、底凸部５１ｃが床面４に押し付けられて、特に外肉盛部５３が内方へ向かう力を受け、外肉盛部５３が便器の脚部２ａの外側面に強固に密着されるものである。
このように便器の肉厚のばらつきに対応して外肉盛部５３および内肉盛部５２を確実に脚部２ａに密着させることができるものとなる。
【００１８】
図８は、更に異なる変更例を示すものであり、図８の防振シート５では、横方向に延びる帯状の帯体５１の外縁に、上方へ一体状に立ち上げて外肉盛部５３が形成され、この外肉盛部５３の上端は、帯体５１上に嵌め込まれる便器側に向かって直線状に上端が尖った鋭角の上端鋭角部５３ａとなっている。
この外肉盛部５３と反対側の帯体５１の内縁側には、一体状に立ち上げて内肉盛部５２，５２，５２が長手方向に沿って所定間隔で立設されている。
また、帯体５１の底面は、外肉盛部５３の下端側に内肉盛部５２側へ向かって下傾状に底凸部５１ｃが形成されており、この底凸部５１ｃの内端側から内肉盛部５２側へ向かってなだらかな湾曲状に凹ませて湾曲凹面部５１ｂが形成されている。
【００１９】
このような断面形状の防振シート５においても、便器の脚部２ａに防振シート５を嵌め込んで床面４に設置すれば、湾曲凹面部５１ｂが押し潰されることにより、内肉盛部５２および外肉盛部５３が内側方向への力を受けて脚部２ａを挟み込むように密着されるものであり、特に底凸部５１ｃが床面４に押し付けられて外肉盛部５３が内方へ向かう力を受け、外肉盛部５３が便器の脚部２ａの外側面に強固に密着されるものである。
このように便器の肉厚のばらつきに対応して外肉盛部５３および内肉盛部５２を確実に脚部２ａに密着させることができ、防振シート５のズレを確実に防止できるものである。
また、上端鋭角部５３ａは上端が尖っていて便器側に向かって直線状に鋭角に形成されているため、脚部２ａと外肉盛部５３の上端間には段差が生ずることがなく、そのため便器の設置状態の意匠性が向上するものとなる。
【図面の簡単な説明】
【００２０】
【図１】便器の設置状態の概略構成図である。
【図２】便器の設置状態の要部拡大縦断面構成図である。
【図３】防振シートの斜視構成図である。
【図４】便器の脚部に防振シートを仮固定した状態の拡大断面構成図である。
【図５】図４の状態で便器を床面に設置した状態の縦断面拡大構成図である。
【図６】防振シートの変更例を示す断面構成図である。
【図７】更に異なる断面形状を有する防振シートの変更例の縦断面構成図である。
【図８】更に異なる断面形状を有する防振シートの変更例の縦断面構成図である。
【符号の説明】
【００２１】
１  便器
２  本体
２ａ  脚部
２ｂ  取付孔
４  床面
５  防振シート
１１  両面テープ
５１  帯体
５１ａ  底平面部
５１ｂ  湾曲凹面部
５１ｃ  底凸部
５１ｄ  凹面部
５２  内肉盛部
５３  外肉盛部
５３ａ  上端鋭角部
【図１】
2010095916.tif 000003
【図２】
2010095916.tif 000004
【図３】
2010095916.tif 000005
【図４】
2010095916.tif 000006
【図５】
2010095916.tif 000007
【図６】
2010095916.tif 000008
【図７】
2010095916.tif 000009
【図８】
2010095916.tif 000010